(57)【要約】【課題】表示部の光を広い範囲に到達させることのできる火災感知器を提供する。【解決手段】火災発生を検出する検出部２１を備えた本体部３０と、本体部３０に設けられる表示部２２とを有する火災感知器１０において、本体部３０は、表示部２２と対向する面または近傍の面に、光を反射させる反射部４２を有する。また、本体部３０は、表示部２２と水平方向において対向する側面部４１を有し、側面部４１に反射部４２が設けられるようにすることができる。【選択図】図２
2019168914.tif 000002
【特許請求の範囲】
【請求項１】
火災発生を検出する検出部を備えた本体部と、該本体部に設けられる表示部とを有する火災感知器において、
前記本体部は、前記表示部と対向する面及び／または近傍の面に、光を反射させる反射部を有することを特徴とする火災感知器。
【請求項２】
前記本体部は、前記表示部と水平方向において対向する側面部を有し、該側面部に前記反射部が設けられることを特徴とする請求項１に記載の火災感知器。
【請求項３】
前記検出部は、前記本体部から露出し、
前記本体部は、前記検出部の露出場所を中心位置とし該中心位置から前記表示部までを半径とする円形状の領域の内側に底面反射部となる前記反射部を有することを特徴とする請求項１または２に記載の火災感知器。
【請求項４】
前記本体部は、前記検出部を覆うガード部を有し、該ガード部に前記反射部が設けられることを特徴とする請求項３に記載の火災感知器。
【請求項５】
前記本体部は、前記表示部と水平方向において対向する側面部を有し、該側面部には側面反射部となる前記反射部が設けられ、
前記表示部は、発光部と導光部とを有し、
前記導光部は、前記発光部からの光を前記本体部の正面側に導光する正面側導光部と、前記発光部からの光を前記側面反射部に向かって導光する側面側導光部と、前記発光部からの光を前記底面反射部に向かって導光する底面側導光部と、によって構成されることを特徴とする請求項３に記載の火災感知器。
【請求項６】
前記本体部は、当該火災感知器の種別を表す識別ラベル部を有し、該識別ラベル部は、前記表示部と対向する面または近傍の面に設けられると共に、少なくとも一部が前記反射部であることを特徴とする請求項１〜５のいずれか１項に記載の火災感知器。
【請求項７】
前記識別ラベル部は、少なくとも一部が蓄光部であることを特徴とする請求項６に記載の火災感知器。
【発明の詳細な説明】
【技術分野】
【０００１】
本発明は、建物の天井面などの設置面に固定され、火災発生を検出する火災感知器に関する。
【背景技術】
【０００２】
火災発生を検出する火災感知器は、建物の天井面などの設置面に固定される。火災感知器としては、例えば、火災による熱を検出する熱検出部を有する火災感知器などが挙げられる。この他にも、煙を検出する火災感知器や、ガスを検出する火災感知器、あるいはこれらの機能を組み合わせた火災感知器などが知られている。
【０００３】
火災感知器には、火災発報などの動作状態を光で示す表示部が設けられることがある。火災感知器の表示部を構成する発光部として、例えば発光ダイオード（ＬＥＤ）などが用いられる。発光部は、火災感知器の本体内部に設けられ、ライトガイド等により外部に導光される。このような火災感知器としては、例えば特許文献１に挙げるようなものがある。
【先行技術文献】
【特許文献】
【０００４】
【特許文献１】特開２００６−２１５８６５号公報
【発明の概要】
【発明が解決しようとする課題】
【０００５】
特許文献１の火災感知器は、密閉型であり、その筐体の略全体に渡る導光部を設けることで、光を広い範囲から視認できるようにしている。しかし、サーミスタが露出している火災感知器など、筐体全体に渡る導光部を設けるのが困難な火災感知器もある。このような場合にも、表示部の光を広い範囲に到達させる火災感知器が望まれる。
【０００６】
本発明は前記課題を鑑みてなされたものであり、表示部の光を広い範囲に到達させることのできる火災感知器を提供することを目的とする。
【課題を解決するための手段】
【０００７】
前記課題を解決するため、請求項１の発明に係る火災感知器は、火災発生を検出する検出部を備えた本体部と、該本体部に設けられる表示部とを有する火災感知器において、
前記本体部は、前記表示部と対向する面または近傍の面に、光を反射させる反射部を有することを特徴として構成されている。
【０００８】
請求項１に係る発明によれば、表示部からの光が反射部で反射し、本体部において表示部以外の場所を光らせることができ、反射光を様々な方向に向かわせることができる。
【０００９】
また、請求項２の発明に係る火災感知器は、前記本体部は、前記表示部と水平方向において対向する側面部を有し、該側面部に前記反射部が設けられることを特徴として構成されている。
【００１０】
請求項２に係る発明によれば、表示部と水平方向において対向する側面部で光が反射するので、表示部から直接向かう光と異なる方向に反射光を向かわせることができる。
【００１１】
さらに、請求項３の発明に係る火災感知器は、前記検出部は、前記本体部から露出し、
前記本体部は、前記検出部の露出場所を中心とし前記表示部までを半径とする円形状の領域の内側に底面反射部となる前記反射部を有することを特徴として構成されている。
【００１２】
請求項３に係る発明によれば、表示部からの光を底面反射部で反射させることで、本体部の正面側に向かって光を反射させ、光の視認性を向上させることができる。
【００１３】
さらに、請求項４の発明に係る火災感知器は、前記検出部は、前記本体部から露出し、前記本体部は、前記検出部を覆うガード部を有し、該ガード部に前記反射部が設けられることを特徴とするとして構成されている。
【００１４】
請求項４に係る発明によれば、表示部からの光が、本体部の高さ方向に面する反射部で反射され、表示部から直接向かう光と異なる方向に反射光を向かわせることができる。
【００１５】
さらにまた、請求項５の発明に係る火災感知器は、前記本体部は、前記表示部と水平方向において対向する側面部を有し、該側面部には側面反射部となる前記反射部が設けられ、
前記表示部は、発光部と導光部とを有し、
前記導光部は、前記発光部からの光を前記本体部の正面側に導光する正面側導光部と、前記発光部からの光を前記側面反射部に向かって導光する側面側導光部と、前記発光部からの光を前記底面反射部に向かって導光する底面側導光部と、によって構成されることを特徴として構成されている。
【００１６】
請求項５に係る発明によれば、発光部からの光を導光部により各反射部に導光し、様々な方向に向かって光を反射させることができるので、広い範囲から表示部の光を視認できるようにすることができる。
【００１７】
そして、請求項６の発明に係る火災感知器は、前記本体部は、当該火災感知器の種別を表す識別ラベル部を有し、該識別ラベル部は、前記表示部と対向する面または近傍の面に設けられると共に、少なくとも一部が前記反射部であることを特徴として構成されている。
【００１８】
請求項６に係る発明によれば、表示部からの光によって識別ラベル部を光らせることができ、識別ラベル部の視認性を高くすることができる。
【００１９】
また、請求項７の発明に係る火災感知器は、前記識別ラベル部は、少なくとも一部が蓄光部であることを特徴として構成されている。
【００２０】
請求項７に係る発明によれば、表示部の光が消えた後も、識別ラベル部が光った状態を維持できるので、識別ラベル部の視認性をより高くすることができる。
【発明の効果】
【００２１】
本発明に係る火災感知器によれば、表示部からの光を反射させて、反射光を様々な方向に向かわせることができるので、広い範囲に表示部からの光を到達させ、表示部の視認性を向上させることができる。
【図面の簡単な説明】
【００２２】
【図１】本実施形態における火災感知器の正面側から見た斜視図である。
【図２】火災感知器の正面図である。
【図３】図２のＡ−Ａ断面のうち、正面部より正面側の断面図である。
【図４】表示部が光った際において反射部により光る部位を表した火災感知器の正面図である。
【図５】別の形態の表示部の説明断面図である。
【発明を実施するための形態】
【００２３】
本発明の実施形態について、図面に沿って詳細に説明する。本実施形態の火災感知器１０は、建物の天井等の設置面に固定され、火災によって生じた熱を検出するものである。図１には本実施形態における火災感知器１０の正面側から見た斜視図を、図２には火災感知器１０の正面図を、それぞれ示している。これら各図に示すように、本実施形態の火災感知器１０は、設置面に固定される筐体２０と、火災によって生じた熱を検出する熱検出部２１とを有している。
【００２４】
筐体２０は、火災を検出して火災検出信号を送信するための各種部品を配置した基板等を納める本体部３０を有する。本体部３０は、略円筒状の背面部３０ａと、背面部３０ａより径が大きい略円盤形状の正面部３０ｂとを有している。筐体２０が設置面に固定されることにより、背面部３０ａは設置面の奥側に埋設され、正面部３０ｂの正面側のみが露出する。
【００２５】
筐体２０は、プラスチック等の樹脂材で形成される。ただし、筐体２０はそれ以外の材料で形成されていてもよい。
【００２６】
熱検出部２１は、筐体２０の本体部３０から高さ方向に突出状に設けられている。熱検出部２１は、サーミスタによって構成されており、先端部で熱を検出することができる。
【００２７】
本体部３０には、熱検出部２１を保護するためのガード部が設けられる。ガード部は、正面部３０ｂから高さ方向に立ち上がる側柱部３１と、側柱部３１に支持される外郭部３２と、外郭部３２から中央側に向かって延びるガード支持部３３と、ガード支持部３３に支持される中央ガード部３４とを有している。
【００２８】
側柱部３１は、周方向に複数形成され、周方向において均等な間隔で配置されている。側柱部３１は、頂部において外郭部３２を支持している。外郭部３２は、一定の幅を有する円環形状を有し、本体部３０からは高さ方向に離隔配置される。
【００２９】
外郭部３２の周方向３箇所には、当該外郭部３２から立ち上がり、その中央側に向かって延びる腕状のガード支持部３３が設けられている。ガード支持部３３は、中央部において中央ガード部３４を支持している。中央ガード部３４は、小径の円環形状を有している。熱検出部２１は、本体部３０の中央部に配置されており、先端が中央ガード部３４より低い位置に配置されているので、中央ガード部３４によって覆われている。
【００３０】
本体部３０は、中央ガード部３４より外周側の位置に、２つの表示部２２を有している。２つの表示部２２は、図２において３時と９時の各周方向位置に配置されている。本体部３０内には、ＬＥＤからなる発光部（図示しない）が設けられており、表示部２２は、この発光部からの光を外部に導光する導光体である。発光部が発光することにより、表示部２２が光ることができる。
【００３１】
本体部３０の正面部３０ｂには、凹部４０より外周側の正面であって、図２における３時の周方向位置に識別ラベル部５０を有している。識別ラベル部５０は、本体部３０に貼付可能なシール等で形成される。識別ラベル部５０には、火災感知器１０の種別に応じたマークが印刷されている。火災感知器は、熱を検出する差動式スポット型や定温式スポット型、煙を検出する光電式スポット型や光電式分離型などのように、火災の検出方式により複数の種別に分類される。また、火災感知器は、試験機能の有無などの機能、あるいは火災検出の感度などにおいても異なる種別に分類される。識別ラベル部５０のマークは、これら種別毎に異なるデザインとされる。本実施形態の火災感知器１０は、差動式スポット型であって、試験機能付の種別に分類されるので、この種別に対応するマークが付されている。このような種別に応じた固有のマークを火災感知器に付すことにより、設置時やメンテナンス時などにおいて、火災感知器の種別を容易に判別でき、作業を迅速かつ確実に行うことができるようにしている。
【００３２】
図３には、図２のＡ−Ａ断面のうち、正面部３０ｂより正面側の断面図を示している。この図に示すように、正面部３０ｂの中央部には、凹部４０が形成されている。凹部４０は、高さ方向に面する底面部４３と、この底面部４３から立ち上がる側面部４１とを有している。２つの表示部２２は、凹部４０に配置されている。また、表示部２２は、凹部４０の深さより大きい高さを有しており、凹部４０から高さ方向にやや突出している。
【００３３】
凹部４０の側面部４１には、側面反射部４２が設けられている。側面反射部４２は、光を反射する反射材を有する薄膜状のシール等で形成される。図２に示すように、側面反射部４２は、側面部４１のうち、表示部２２と対向する部分及びその近傍の領域に渡って設けられる。
【００３４】
図３に示すように、ガード部を構成する外郭部３２のうち本体部３０に向かう面である対向面部３５には、対向面反射部３６が設けられている。また、対向面反射部３６と対向する凹部４０の底面部４３には、底面反射部４４が設けられている。底面反射部３６は、熱検出部２１の本体部３０における露出場所を中心位置とし、この中心位置から表示部２２までを半径とする円形状の領域の内側に配置されている。対向面反射部３６及び底面反射部４４は、側面反射部４２と同様、光を反射する反射材を有する薄膜状のシール等で形成することができる。
【００３５】
本体部３０に設けられる前述の識別ラベル部５０は、光を反射する反射部５１を有している。反射部５１は、識別ラベル部５０に反射材を設けることにより形成される。また、識別ラベル部５０は、蓄光部５２も有している。蓄光部５２は、識別ラベル部５０に蓄光塗料等を塗布あるいは含ませることにより形成される。
【００３６】
表示部２２からの光のうち、側面部４１に向かう光は、図３に示す光線Ｌ１のように、側面反射部４２で反射することで、本体部３０の高さ方向及び水平方向に角度をなして進むことができる。また、表示部２２からの光のうち、外郭部３２に向かう光は、図３に示す光線Ｌ２のように、外郭部３２の対向面反射部３６で反射し、さらに本体部３０の底面部４３に設けられる底面反射部４４で反射することで、本体部３０の高さ方向及び水平方向に角度をなして進むことができる。
【００３７】
表示部２２からの光のうち、本体部３０の外周側に向かう光の一部は、図３に示す光線Ｌ３のように、識別ラベル部５０に到達し、識別ラベル部５０の反射部５１で反射する。これにより、表示部２２からの光によって識別ラベル部５０を光らせることができる。
【００３８】
図４には、表示部２２が光っている状態における火災感知器１０の正面図を示している。この図に示すように、表示部２２が光ることにより、表示部２２だけではなく、側面部４１の側面反射部４２が設けられた部分や、底面部４３の底面反射部４４が設けられた部分、及び識別ラベル部５０が、反射光によって光った状態となる。側面反射部４２や底面反射部４４で反射した光は、本体部３０の水平方向にも角度をなして進むので、火災感知器１０が建物の天井面に設置されている場合において、火災感知器１０の斜め下方からでも光っていることを容易に視認できる。このため、表示部２２による表示を、広い範囲から視認できる。
【００３９】
また、識別ラベル部５０が表示部２２からの光によって光ることで、火災感知器１０の設置時やメンテナンス時に表示部２２を光らせることで、識別ラベル部５０の視認性を向上させ、火災感知器１０の種別を容易に視認できる。特に、火災感知器１０が暗い場所に設置される場合などに、識別ラベル部５０が光ることで、作業を容易にすることができる。
【００４０】
また、識別ラベル部５０は、表示部２２からの光を受けることにより蓄光する蓄光部５２を有するので、表示部２２の光が消えた後も、しばらく継続して光ることができる。これにより、火災感知器１０が暗所に設置される場合などにおいて、識別ラベル部５０をより確実に視認でき、作業性をより向上できる。
【００４１】
以上、本発明の実施形態について説明したが、本発明の適用は本実施形態には限られず、その技術的思想の範囲内において様々に適用され得る。
【００４２】
上述の実施形態における火災感知器１０は、小型埋込み型であるが、これ以外のタイプの火災感知器にも、本発明を適用することができる。例えば、設置面に対して取付基部を介して固定される露出型の火災感知器に対しても、本発明を適用できる。また、上述の実施形態の火災感知器１０は、熱を検出することで火災を検出するが、煙やガスを検出、あるいはこれらの組み合わせによる火災感知器であってもよく、種別は問わない。
【００４３】
また、本体部３０において、反射部は表示部２２からの光を反射できる位置であれば、上述の実施形態の他にも任意に配置することができる。例えば、本体部３０から立ち上がる側柱部３１に反射部を設けてもよい。また、ガード部を構成する中央ガード部３４のうち、本体部３０側に向かう面に反射部を設けてもよい。また、表示部２２の本体部３０における位置及び数についても、任意に設定でき、それに応じて表示部２２からの光を反射できる位置に反射部を設けることができる。
【００４４】
また、上述の実施形態では、側面部４１に側面反射部４２を設け、外郭部３２に対向面反射部３６を、底面部４３に底面反射部４４を、それぞれ設け、識別ラベル部５０に反射部５１を設けているが、側面反射部４２のみ、あるいは対向面反射部３６と底面反射部４４のみ、若しくは識別ラベル部５０の反射部５１のみ、設けてもよいし、これらのうち２つの反射部を設けてもよい。
【００４５】
また、上述の実施形態では、各反射部は本体部３０に貼付されるシールに設けているが、本体部３０自体が反射材を有していてもよいし、本体部３０に反射材を有する塗料を塗布するなど、その他の手法で反射部を設けてもよい。
【００４６】
また、上述の実施形態では、凹部４０の底面部４３に底面反射部４４を設けているが、火災感知器１０の正面の各部材、例えば、側柱部３１、外郭部３２、ガード支持部３３、中央ガード部３４を透明の材質で形成し、本体部３０内の発光部からの光を透過させるようにして、火災感知器１０の正面側を光らせるようにしてもよい。
【００４７】
また、上述の実施形態では、底面反射部４４には、表示部２２からの光の反射光が入射され、それを底面反射部４４で反射しているが、表示部２２からの光が底面反射部４４に対し直接入射されるようにしてもよい。上述の実施形態において、表示部２２は、本体部の正面側に向かって導光する正面側導光部と、側面反射部４２に向かって導光する側面側導光部として機能する。図５には、別の形態の表示部２２の説明断面図を示している。この図に示すように、表示部２２の内部に屈折率の異なる導光路を設けることで、光を底面部４３側の方向に直接向かわせることができる。表示部２２には、両端部がそれぞれ発光部２３側と底面反射部４４側を向く湾曲状の底面側導光部２２ｃが、導光路として設けられる。発光部２３からの光の一部は、底面側導光部２２ｃによって、底面部４３側に出射され、底面反射部４４で反射される。正面側及び側面側に対しては、導光路を経ることなく直接出射される。したがって、表示部２２の正面側の面は、正面側導光部２２ａであり、表示部２２の側面側の面は、側面側導光部２２ｂである。このように、底面反射部４４に向かって導光する底面側導光部２２ｃを設けることにより、表示部２２からの光が直接、底面反射部４４に向かうようにすることができる。
【符号の説明】
【００４８】
１０    火災感知器
２０    筐体
２１    熱検出部
２２    表示部
３０    本体部
３０ａ  背面部
３０ｂ  正面部
３１    側柱部
３２    外郭部
３３    ガード支持部
３４    中央ガード部
３５    対向面部
３６    対向面反射部
４０    凹部
４１    側面部
４２    側面反射部
４３    底面部
４４    底面反射部
５０    識別ラベル部
５１    反射部
５２    蓄光部
【図１】
2019168914.tif 000003
【図２】
2019168914.tif 000004
【図３】
2019168914.tif 000005
【図４】
2019168914.tif 000006
【図５】
2019168914.tif 000007